【手続補正書】
【提出日】平成25年11月22日(2013.11.22)
【手続補正１】
【補正対象書類名】明細書
【補正対象項目名】発明の名称
【補正方法】変更
【補正の内容】
【発明の名称】インクジェット記録装置
【手続補正２】
【補正対象書類名】明細書
【補正対象項目名】０００１
【補正方法】変更
【補正の内容】
【０００１】
本発明は、インクジェット記録装置に関する。
【手続補正３】
【補正対象書類名】明細書
【補正対象項目名】０００５
【補正方法】変更
【補正の内容】
【０００５】
本発明は、上述した従来の課題に鑑みてなされたものである。そして、その目的は、インク吐出不良の発生を抑制しつつ、吸引回復動作による廃棄インクの増加を抑制可能なインクジェット記録装置を提供することにある。
【手続補正４】
【補正対象書類名】明細書
【補正対象項目名】０００６
【補正方法】変更
【補正の内容】
【０００６】
本発明に係るインクジェット記録装置は、インクを吐出させる複数の吐出口を有する記録ヘッドと、該記録ヘッドが着脱自在に搭載されるキャリッジと、前記記録ヘッドのインク吐出性能を回復させる回復動作を行う回復手段と、を備えるインクジェット記録装置において、前記キャリッジに装着されたときの前記記録ヘッド内部のインク充填状態に応じて、前記回復動作を制御する制御手段を備えることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】００３１
【補正方法】変更
【補正の内容】
【００３１】
以下に、工場出荷時におけるヘッド内部のインク充填状態に応じた吸引回復機構の動作制御について具体的に説明する。ここで、インク充填状態は、インクが充填された記録ヘッド内に存在する気泡の成長速度に影響を及ぼすパラメータである。上述したとおり、記録装置１の出荷時の記録ヘッド３は乾燥しているのに対し、記録ヘッド３の交換時はヘッド内部にインクが充填された状態で出荷された記録ヘッドが装着されるので、気泡の成長速度が異なる。このような特性に基づいて、記録装置１に搭載されている吐出回復装置１０に備えられている吸引回復機構の動作制御を、記録ヘッドの出荷時のインク充填状態に応じて異ならせる方法について説明する。図１に、この制御の流れを説明するフローチャートを示し、更に図９、１０，１１、１２に制御を行う際に参照するテーブルを示す。
【手続補正７】
【補正対象書類名】明細書
【補正対象項目名】００３２
【補正方法】変更
【補正の内容】
【００３２】
記録装置１に記録用画像信号が送出されると、ヘッドカートリッジ６によるインク吐出の前に図１に示すシーケンスに移行する。ここでは、最初にステップＳ１０１に進み、前回の吸引動作がなされてから現時点までの経過時間Ｔを、不揮発性メモリ４０５に記憶されている値から取得する。ステップＳ１０２においては、あらかじめ記録ヘッド３の不揮発性メモリ領域に書き込まれた出荷時インクの充填フラグＤの値により、回復機構の動作制御を選択する。図９は記録ヘッド出荷時のインク充填判別表である。図９に従い、記録ヘッドを充填して出荷する場合はＤ＝１をセットし、記録ヘッドを乾燥させてから出荷する場合はＤ＝０をセットしてから記録ヘッドを出荷する。Ｄ＝１の場合はステップＳ１０３に進む。一方、Ｄ＝０の場合は、ステップＳ１０８に進む。このようにすることにより、記録ヘッド出荷時のインク充填状態に応じて、吸引回復機構の動作制御を異ならせる事が可能になる。
【手続補正８】
【補正対象書類名】明細書
【補正対象項目名】００３３
【補正方法】変更
【補正の内容】
【００３３】
ステップＳ１０２においてＤ＝１、即ち出荷時にインクが充填された記録ヘッドはステップＳ１０３に進む。ステップＳ１０３において、前回の吸引からの経過時間Ｔと充填記録ヘッド用の吸引実施用の設定時間Ｔｎとを比較する。図１０はインク充填記録ヘッド用の吸引テーブルである。本例においては、充填記録ヘッド出荷時の場合は吸引の累積実施回数の初期設定値はＮ＝０で出荷する。図１０の表に従い、Ｎ＝０のときは設定時間Ｔｎ＝０時間である。従って、着荷時は本体の経過時間が０時間以上経過しているので、Ｔ≧Ｔｎとなり、ステップＳ１０４に進む。また、Ｎ＝１の場合は、Ｔｎ＝２４０時間と設定されている。例えば、Ｔ＝２００時間の場合には、Ｔ≧Ｔｎとならないので、回復動作は実施されず本制御は終了する。
【手続補正９】
【補正対象書類名】明細書
【補正対象項目名】００３５
【補正方法】変更
【補正の内容】
【００３５】
一方、先のステップＳ１０２においてＤ＝０、即ち出荷時にインクが乾燥された記録ヘッドはステップＳ１０８に進む。ステップＳ１０８において、前回の吸引からの経過時間Ｔと乾燥記録ヘッド用の吸引実施用の設定時間Ｔｄ１とを比較する。図１１はインク乾燥記録ヘッド用の吸引テーブルである。本例においては、乾燥記録ヘッド出荷時の場合も吸引の累積実施回数の初期設定値はＮ＝０で出荷する。図１１の表に従い、Ｎ＝０のときは設定時間Ｔｄ１＝０時間である。従って、着荷時は本体の経過時間が０時間以上経過しているので、Ｔ≧Ｔｄ１となり、ステップＳ１０９に進む。また、Ｎ＝１の場合は、Ｔｄ１＝２４時間と設定されている。例えば、Ｔ＝２００時間の場合、Ｔ＞Ｔｄ１となり、ステップ１０９に進み、回復動作が行われる。よって、本実施形態により出荷時のインク充填状態に応じた、最適なタイマー吸引の間隔を設けることが可能となる。
【手続補正１０】
【補正対象書類名】明細書
【補正対象項目名】００４５
【補正方法】変更
【補正の内容】
【００４５】
記録装置１にユーザによるマニュアル吸引の実施の信号が送信されると、図１３に示すシーケンスに移行する。ここでは、最初にステップＳ２０１に進み、あらかじめ記録ヘッド３の不揮発性メモリ領域に書き込まれた出荷時インクの充填フラグＤの値により、乾燥ヘッドの初期気泡成長期におけるマニュアル吸引の強度を選択する。先に記載した図９に従い、記録ヘッド３の出荷時にインクを充填させてから出荷する場合はＤ＝１をセットし、インクを乾燥させてから出荷する場合はＤ＝０をセットしてから記録ヘッドを出荷する。Ｄ＝０の場合はステップＳ２０２に進み、Ｄ＝１の場合は、ステップＳ２０６に進む。
【手続補正１１】
【補正対象書類名】特許請求の範囲
【補正対象項目名】全文
【補正方法】変更
【補正の内容】
【特許請求の範囲】
【請求項１】
インクを吐出させる複数の吐出口を有する記録ヘッドと、該記録ヘッドが着脱自在に搭載されるキャリッジと、前記記録ヘッドのインク吐出性能を回復させる回復動作を行う回復手段と、を備えるインクジェット記録装置において、
前記キャリッジに装着されたときの前記記録ヘッド内部のインク充填状態に応じて、前記回復動作を制御する制御手段を備えることを特徴とするインクジェット記録装置。
【請求項２】
前記回復手段は、前記記録ヘッドの吐出口からインクを吸引する吸引動作を行う吸引手段を備え、
前記制御手段は、前記キャリッジにインクが充填された記録ヘッドが装着された場合に行わせる吸引動作の吸引量よりも、前記キャリッジにインクが充填されていない記録ヘッドが装着された場合に行わせる吸引動作の吸引量が多くなるように制御することを特徴とする請求項１に記載のインクジェット記録装置。
【請求項３】
前記制御手段は、前記キャリッジにインクが充填された記録ヘッドが装着された場合は前回の吸引動作からの経過時間が第１の設定時間以上であるときに吸引動作を実施させ、前記キャリッジにインクが充填されていない記録ヘッドが装着された場合は前回の吸引動作からの経過時間が前記第１の設定時間よりも短い第２の設定時間以上であるときに吸引動作を実施させるように制御することを特徴とする請求項２に記載の記録装置。
【手続補正１２】
【補正対象書類名】図面
【補正対象項目名】図１０
【補正方法】変更
【補正の内容】
【図１０】
2012011592.tif 000001
【手続補正１３】
【補正対象書類名】図面
【補正対象項目名】図１１
【補正方法】変更
【補正の内容】
【図１１】
2012011592.tif 000002
【手続補正１４】
【補正対象書類名】図面
【補正対象項目名】図１３
【補正方法】変更
【補正の内容】
【図１３】
2012011592.tif 000003
【手続補正１５】
【補正対象書類名】図面
【補正対象項目名】図１４
【補正方法】変更
【補正の内容】
【図１４】
2012011592.tif 000004
【手続補正１６】
【補正対象書類名】図面
【補正対象項目名】図１６
【補正方法】変更
【補正の内容】
【図１６】
2012011592.tif 000005